(57)【要約】 【課題】本発明は、自身で排尿処理が困難な人やその介護に当たる当事者のための、自動採尿装置の利用に係る負担軽減を実現することを目的とする。【解決手段】本発明に成る自動採尿装置は、吸尿・排出を兼ねるロータリーポンプとこれを駆動する制御部とを有する真空吸引装置と、排尿受器と、これらを連通接続し尿検知センサー電極を兼ねる電導体を外周面に形成した輸尿チューブとを備え、これらを収容する筐体は、隔離された２つのポンプ室と、該ポンプ室と隔離された制御部収納室とを有し、該筐体に併設される収尿タンクは、前記輸尿チューブに連通する内部チューブを備え、開口部が、前記一方のポンプ室とフィルタを介して連通した上で、ロータを経て他方のポンプ室とフィルタを介して外気に連通せしめ、二重のフィルタで排気を浄化するように保持・構成される。【選択図】        図１
2005334558.tif 000002
【特許請求の範囲】
【請求項１】
真空吸引装置と、排尿受器と、これらを連通接続する輸尿チューブとを備える自動採尿装置において、前記真空吸引装置は、吸引手段としてのロータリーポンプと、該ロータリーポンプを駆動する制御部と、これらを収容する筐体を有し、該筐体は、ロータリーポンプの対の通気口に夫々連通する隔離された２つのポンプ室を備え、該ポンプ室と制御部を収納する制御部収納室とが隔離されて一体を成し、前記輸尿チューブに連通する内部チューブを備えると共に前記筐体に外気を遮断するように保持された収尿タンクは、その開口部が、前記一方のポンプ室とフィルタを介して連通した上で、ロータを経て他方のポンプ室とフィルタを介して外気に連通するように構成されていること、を特徴とする自動採尿装置。
【請求項２】
前記ロータリーポンプは、正回転での排尿受器からの真空吸引及び収尿タンクへの収納機能に加え、逆回転での収尿タンクへの加圧による排出機能とを兼ね備えるように構成されていること、を特徴とする請求項１に記載の自動採尿装置。
【請求項３】
前記真空吸引装置と輸尿チューブとの接続部にはワンタッチ継手が設けられていること、を特徴とする請求項１又は２に記載の自動採尿装置。
【請求項４】
前記輸尿チューブ外周面には金属薄膜より成る、並行する電導体が一体形成され、該電導体の排尿受器側端部が尿検知センサーの電極を兼ねると共に、真空吸引装置の所定部位に輸尿チューブの保持手段が形成され該保持部に尿検知センサー信号端子が設けられて、該信号端子が前記輸尿チューブ外周面の電導体と電気的に連通することで、ロータリーポンプの制御信号として利用可能なように構成されていること、を特徴とする請求項１から３のいずれかに記載の自動採尿装置。
【請求項５】
前記フィルターは、防水・防塵・通気性を備える多孔質膜とハニカム状吸着材とが併用され、真空吸引装置へ着脱自在であるようカートリッジ構造を備えること、を特徴とする請求項１から４のいずれかに記載の自動採尿装置。
【請求項６】
前記筐体の制御部収納室の近傍に、携帯操作での電源となる電池収納室が設けられていること、を特徴とする請求項１から５のいずれかに記載の自動採尿装置。
【請求項７】
前記真空吸引装置は、一体保持される収尿タンクと共に、断面長方形の角型立方体を成すように形成されていること、を特徴とする請求項１から６のいずれかに記載の自動採尿装置。
【発明の詳細な説明】
【技術分野】
【０００１】
本発明は、自身での排尿処理が困難な人や、その介護に当たる当事者のための、負担軽減を実現する自動採尿装置に関する。
【背景技術】
【０００２】
従来から、寝たきり老人、重症患者、失禁患者等自身で排尿処理が困難な人にとって排尿に際して使用する排尿装置の取扱性・利便性は極めて重要であることから、本人は言うまでも無く介護に当たる人にとっても機能・取扱性の改善への期待で種々の提案が成され、徐々に改良されて来てはいる。例えば特許文献１：特開２０００−３１６９１７号は、同公報に見るように、排尿検出の安定性や脱臭機能の向上を図り、また、特許文献２：特開  Ｈ１０−０４３２８９号は、同公報に見るように、排尿状況の検出で装置の簡素化と誤動作防止を図り、さらにまた、特許文献３：特開  Ｈ０９−１９６８７５号に見る例は、湿度変化検出手段を備え、制御回路のデジタル化により排尿検出の精度を高めることを意図しており、夫々所望の効果を実現している。
【０００３】
しかし、いずれも自身で排尿処理が困難な人や、その介護に当たる当事者に対する、取扱性・利便性の面での配慮が行き届いていたとは言えず、医療の進歩にも係り、近年益々増加の一途をたどる利用者からは、もっと扱い易い装置とすることが求められているのが実態であった。
【０００４】
【特許文献１】特開２０００−３１６９１７号公報
【特許文献２】特開  Ｈ１０−０４３２８９号公報
【特許文献３】特開  Ｈ０９−１９６８７５号公報
【発明の開示】
【発明が解決しようとする課題】
【０００５】
解決すべき問題点は、
収尿タンクの排尿処理が手作業で忌避感が残ること
排尿処理に備え、真空吸引装置本体と収尿タンクとが分離構造であるため、小型化・軽量化が困難なこと
脱臭効果が充分でなく、室内環境の劣化が避けられないこと、
内部への硫化水素やアンモニアガスの残留での装置耐久性への障害、等
自身での排尿処理が困難な人や、その介護に当たる当事者にとっての利便性・負担軽減や装置の耐久性の改善等が期待事項となっている。
【課題を解決するための手段】
【０００６】
本発明は、真空吸引装置と、排尿受器と、これらを連通接続する輸尿チューブとを備えるもので、前記真空吸引装置は、吸引手段としてのロータリーポンプと、該ロータリーポンプを駆動する制御部と、これらを収容する筐体を有し、該筐体は、ロータリーポンプの対の通気口に夫々連通する隔離された２つのポンプ室を備え、該ポンプ室と制御部を収納する制御部収納室とが隔離されて一体を成し、該筐体に併設される収尿タンクは、前記輸尿チューブに連通する内部チューブを備え、前記筐体に外気を遮断するように保持され、その開口部が、前記一方のポンプ室とフィルタを介して連通した上で、ロータを経て他方のポンプ室とフィルタを介して外気に連通するように構成され、また、
【０００７】
加えて、前記ロータリーポンプは、正回転での排尿受器からの真空吸引及び収尿タンクへの収納機能と共に、逆回転での収尿タンクへの加圧による排出機能とを兼ね備えるように構成され、また、
【０００８】
上記構成に加えて、前記真空吸引装置と輸尿チューブとの接続部にはワンタッチ継手が設けられ、接続作業の簡便化が図られ、また、
【０００９】
上記構成に加えて、前記輸尿チューブ外周面には金属薄膜より成る、並行する電導体が一体形成され、該電導体の排尿受器側端部が尿検知センサーの電極を兼ねると共に、真空吸引装置の所定部位に輸尿チューブの保持手段が形成され該保持部に尿検知センサー信号端子が設けられて、該信号端子が前記輸尿チューブ外周面の電導体と電気的に連通することで、ロータリーポンプの制御信号として利用可能なように構成され、また、
【００１０】
加えて、前記フィルターは、防水・防塵・通気性を有する多孔質膜とハニカム状吸着材とを備えると共に、
真空吸引装置へ着脱自在であるカートリッジ構造を備え、また、
【００１１】
上記構成に加えて、前記筐体の制御部収納室の近傍に、携帯操作での電源となる電池を収納する電池収納室が設けられ、更にまた、
【００１２】
加えて、前記真空吸引装置は、一体保持される収尿タンクと共に、断面長方形の角型立方体を成すように構成される。
【発明の効果】
【００１３】
本発明に成る自動採尿装置は、
（１）内装されたロータリーポンプの逆転駆動で収納タンクからの排出をも可能とし、廃棄等の作業での収尿タンクからの漏出等の懸念が排除され、取扱性・利便性が格段に向上する。
（２）上記排出機能により、収尿タンク内部を含む真空吸引装置内の洗浄が簡便化され、衛生面の確保、利用者の利便性が向上する。
（３）真空吸引装置と輸尿チューブとの接続部に設けたワンタッチ継手の採用で、採尿操作や排出操作での輸尿チューブと真空吸引装置との離接の簡便化により取扱性が向上する。
（４）輸尿チューブ外周面に一体形成した並行電導体の排尿受器側端部が尿検知センサーの電極を兼ねることから、排尿受器の構成が簡素化され小型化・軽量化が実現する。
（５）収尿タンク内の異臭が、ロータリーポンプを挟んで二重のフィルタにより脱臭されるので、外部室内の環境保全に効果を発揮する。
（６）装置内部への硫化水素やアンモニアガス等の残存・滞留を抑制し、装置の耐久性の改善を実現する。
（７）フィルタをカートリッジ構造とすることで、交換作業が簡便化され、脱臭能力の劣化に即応できる。
（８）本装置の小型化・軽量化を背景とし携帯性を高めることに対応して、電池を収納する電源収納部を設け、駆動電源として電池の採用を可能としている。
（９）携帯性に鑑み、断面角型の立方体構成とすることで、小型化での所定機能に対応する部材の効果的収納と、把持容易化を実現している。
【発明を実施するための最良の形態】
【００１４】
図１は、本発明に成る真空吸引装置１の要部透視断面図で、図示を省略している排尿受器２に連通する輸尿チューブ３の引き込みの様子を示す透視図（ａ）と、該図（ａ）のＡ−Ａ部位のロータリーポンプ１−１を中心とした断面略図（b）である。
【実施例１】
【００１５】
図（ａ）に見るように、利用者が使用する排尿受器２（図示しない）と真空吸引装置１を連通接続する輸尿チューブ３は、終端に、これ自体は周知技術構成であるワンタッチ継手の片側部材（７）を備え、その中間部位で真空吸引装置１の筐体１−２の表面に形成された輸尿チューブ保持部９で固定された上で、別の部位に配置されている真空吸引装置１側のワンタッチ継手７に導かれ真空吸引装置１に接続されている。
【００１６】
そして、前記真空吸引装置１側のワンタッチ継手７には、筐体１−２の内側に収尿タンク５の底部まで達する長さの内部チューブ４が配置されており、上述輸尿チューブ３と連通するように構成されている。
【００１７】
また、図（b）に見るように、吸引手段として機能するロータリーポンプ１−１は、対を成す２つの通気口１−１２，１−１２’ を通して隔離された２つのポンプ室１−１３，１−１３’ に吸・排気するように配置されている。
【００１８】
そして、一面が開口する収尿タンク５は、前記筐体１−２の一面に開口部を当接するように固定されるが、外気を遮断する為、可撓性を有する所謂パッキン・Ｏリング等の封止部材を介在させている。
【００１９】
上述収尿タンク５とポンプ室１−１３との間には、内側のフィルタ６が配置され、収尿のための真空吸引動作に伴う外部への空気の排出に際し、収尿タンク５内の異臭を前段除去した上で、ロータから隔離された別のポンプ室１−１３’ を経て、異臭を後段除去するための外側のフィルタ６’ を通す構成として、二重の異臭排除で、排出空気の浄化に万全を期すようにしている。
【００２０】
収尿タンク５に貯留された尿の廃棄に際しては、上述ロータリーポンプ１−１を逆転させ、浄化作用は無用となるが、外側のフィルタ６’ ―ポンプ室１−１３’ ―通気口１−１２’ ―ロータ１−１１―通気口１−１２−ポンプ室１−１３の経路で、外気を吸引し収尿タンク５の内部を加圧し内部チューブ４を経て排出処理する。
【００２１】
また、ロータリーポンプ１−１に隣接する制御部収納室１−３は、内装される制御部（１−４：図示は省略）を構成する電子部品や基板等が、腐食性環境を回避することを必須とすることから、収尿タンクやポンプ室１−１３，１−１３’ と隔離するように形成されている。
【実施例２】
【００２２】
また、図２（ａ）に示すように、輸尿チューブ３の外周面には、並行する対の金属薄膜より成る導電体３−１，３−１’ が、例えば金属蒸着皮膜形成等の手段で一体的に形成されており、その排尿受器側端部を、排尿での導通有無を検知する尿検知センサー（８：図示を省略）の電極として利用するように構成されている。
【００２３】
更に、上述筐体１−２に設けられている輸尿チューブ保持部（９）は、尿検知センサー信号端子９を兼ねるもので、前記輸尿チューブ３が貫挿されるその内周面に、当該輸尿チューブ外周面の導電体３−１，３−１’ に接触する接触子９−１を設け、輸尿チューブ３の連通接続での固定・保持により、同時的に尿検知信号を取得し、ロータリーポンプ１−１の駆動制御信号として使用できるように構成されている。
【実施例３】
【００２４】
また、本願発明に係る使用条件は、環境への配慮が充分過ぎることの無いものであることを踏まえ、上述フィルタ６，６’ は、その浄化機能を高めることが必須要件であることから、図３に部分透視断面図に例示するように、浄化手段として、防水・防塵効果を高めるべく、浸水を防止し通気自在の多孔質膜６−２と、通気性に優れ異臭要素の吸着効果を高めるため、ハニカム状吸着材６−３もしくはコルゲートハニカム状吸着材（６−３）等の併用構造とし、異臭の除去と共に装置内部への硫化水素・アンモニアガス等の残留を抑制すると共に、実用面での利便性を高めるため、該フィルター６，６’は、上述多孔質膜６−２・ハニカム状吸着材６−３等がフィルタケース６−１で一体保持された、交換自在のカートリッジ構造としている。
【実施例４】
【００２５】
また、図示は省略しているが、ロータリーポンプ１−１の電池駆動に対応すべく、当該電池を収納する電源室を上述制御部収納室１−３の近傍に形成することも、収尿タンクの貯留された内容体の廃棄や、車椅子利用での移動時等、携帯操作に対応するために実用効果の優れた構成である。
【実施例５】
【００２６】
更にまた、直接的に図示はしないが、小型化・軽量化を踏まえ、ロータリーポンプ１−１の採用による吸・排機能を兼ね備えた真空吸気装置を主体とする本願自動採尿装置は、携帯操作にも適したものであることから、操作者の把持容易化のために、内装部材の収納効率を考慮し、概観角型立方体の形状が好ましいものである。
【００２７】
なお、上述ロータリーポンプ１−１の制御手段や、尿検知信号の処理等は、本願発明での背景技術であって、何等新規性・進歩性を伴うものでは無い。
【産業上の利用可能性】
【００２８】
本発明に成る自動採尿装置は、自身での排尿処理が困難な人や、その介護に当たる当事者の負担軽減を実現することから、益々ニーズの高まる医療分野等での利用価値が高いことは疑う余地がないものと言える。
【図面の簡単な説明】
【００２９】
【図１】本発明に成る自動採尿装置の主体となる真空吸引装置の例の要部透視断面図である。
【図２】輸尿チューブに形成された並行電導体と尿検知センサーの信号取得に係る尿検知センサー信号端子を説明する略図である。
【図３】フィルタの構成を説明する部分断面斜視図である。
【符号の説明】
【００３０】
１                真空吸引装置
１−１            ロータリーポンプ
１−１１          ロータ
１−１２，１２’   通気口
１−１３，１３’   ポンプ室
１−２            筐体
１−３            制御部収納室
（１−４            制御部（図象省略））
（１−５            電源部（図象省略））
（２                排尿受器（図象省略））
３                輸尿チューブ
３−１，１’       外周面に掲載された並行導電体
４                内部チューブ
５                収尿タンク
６，６’           フィルタ
６−１            フィルタケース
６−２            多孔質膜
６−３            ハニカム状吸着材・コルゲートハニカム状吸着材
７                ワンタッチ継手
８，８’           吸引・排出気流
９              尿検知センサー信号端子（輸尿チューブ保持部）
９−１            接触子
１０                パッキン・Ｏリング等の封止部材
【図１】
2005334558.tif 000003
【図２】
2005334558.tif 000004
【図３】
2005334558.tif 000005